(57)【要約】      （修正有）【課題】液体の濃度を容易にしかも正確に知ることができる濃度表示フロートを提供する。【解決手段】液体の比重に応じて浮沈する濃度表示フロート１であって、このフロートは、それぞれ比重の異なる複数の分割部材２，３を結合することによって所定の比重に設定してあり、液体中の浮沈状態をみることで液体の濃度を知ることができる。【選択図】図２
0003100988.tif 000002
【実用新案登録請求の範囲】
【請求項１】
比重が異なる複数の部材を互いに結合してなり、液体の濃度に応じて浮沈することを特徴とする濃度表示フロート。
【請求項２】
上記複数の部材は、体積比が等しいことを特徴とする請求項１に記載の濃度表示フロート。
【請求項３】
上記複数の部材は、体積比が異なることを特徴とする請求項１に記載の濃度表示フロート。
【請求項４】
上記濃度表示フロートは、複数に分割された部材がそれぞれ異なる色に着色されていることを特徴とする請求項１ないし請求項３のいずれか一に記載の濃度表示フロート。
【考案の詳細な説明】
【技術分野】
【０００１】  本考案は、液体中に投入したフロートが液体の比重に応じて浮き沈みすることを利用してこの液体の濃度を表示する濃度表示フロートに関する。
【背景技術】
【０００２】
【特許文献１】  特開平８−２１７９１  一般に液体の濃度と比重は相関関係を有しており、濃度が高くなると比重が大きくなる傾向にある。例えば食塩水の場合、飽和食塩水の濃度は３５％でそのときの比重は１．１３であり、濃度１５％の食塩水の場合は比重が１．０８になる。このため、水溶液の比重を計ればこの溶液の濃度を知ることができる。
このようなことから、例えば特開平８−２１７９１号には溶液の比重計が開示されている。このものは水溶液に比重の異なる２種類のフロートを投入し、一方のフローとが沈み、他方のフローとが浮いた場合、溶液の比重はこれら両フロートの比重の間であることを測定し、これにより溶液の濃度を測定する方法である。
しかしながら、この測定方法は、比重の異なる２種類のフロートを使用しなければならないので面倒であり、しかもこの方法による測定値は、両フロートの比重の間であることしか判らず、この溶液の正確な比重値を知ることはできない。
【考案の開示】
【考案が解決しようとする課題】
【０００３】  液体の正確な比重を測定するには、液体の比重と一致した比重をもつフロートを用いることが望ましい。例えば、濃度１５％食塩水（比重１．０８）を計りたいの場合、この濃度を正確に知るためにはフロートの比重を１．０８に設定するのがよい。
しかし、比重が１．０８の材料を見付け出すのは難しい。つまり、測定したい液体の比重に対して、この比重と一致した材料のフロートを選定するのは難しかった。
本考案は、溶液の濃度を容易にしかも正確に知ることができる比重計を提供する。
【課題を解決するための手段】
【０００４】  上記目的を達成するため本考案は、液体の濃度変化に応じて浮沈する濃度表示フロートであって、このフロートは比重が異なる複数の部材を互いに結合して構成されている。
このような考案によれば、比重が異なる材料を選択して組み合わせることで所定の比重に設定することができ、測定する溶液に合致した比重をもつ濃度表示フロートを得ることができる。このため、液体の濃度に応じてフロートが正確に浮沈し、微小な濃度差に対しても正確に浮沈反応する。よって、このフロートの位置を見ることで液体の濃度を容易に、しかも高精度に知ることができる。【０００５】  本考案の好ましい態様は、比重が異なる複数の部材は、体積比を等しくしたことであり、この場合、フロートの比重は上記複数の部材が備える比重の平均値になる。
他の好ましい態様は、複数の部材の体積比を異ならせたことであり、この場合は各部材の比重と体積比を選択して組み合わせることで、測定したい比重（濃度）に対する選択領域が拡大する。
また、他の態様として、複数に分割された部材はそれぞれ異なる色に着色されていることである。これにより、使用した分割部材の種類を容易に識別できるとともに、測定したい液体が色を有している場合には、液体との区別が容易になり、外から視認し易くなる。
【考案の効果】
【０００６】  本考案によれば、測定したい液体の比重と同じ比重を有するフロートが得られるので、比重測定（濃度測定）が高精度に行える。
【考案を実施するための最良の形態】
【０００７】  以下本考案について、第１の実施例を図１および図２にもとづき説明する。
図１は濃度表示フロートの側面図、図は濃度表示フロートを水溶液に投入した状態の図である。
図において１は、本考案の濃度表示フロートであり、全体が直径１０ｍｍ程度の球形をなしている。このフロート１は、それぞれ半球形の２つの分割部材２および３を互いに結合して一体化してある。一方の分割部材２は例えば比重０．９１のポリプロピレン樹脂からなり、他方の分割部材３は例えば比重１．２５のフェノール樹脂からなる。これら部材２と３は、それぞれ体積Ｖ１，Ｖ２が同じに構成されており、これら分割部材２、３を互いに結合したフロート１全体の比重は、これら両部材２，３の比重の平均値、すなわち１．０８となっている。
また、これら分割部材２、３は、それぞれ別個の色に着色されており、例えば一方の分割部材２はピンク色に、他方の分割部材３は水色に着色されている。
なお、上記分割部材２と３を結合するには、接着や相互のねじ結合も可能であるが、本例の場合は互いに向かい合う面に対照的に突子４とホゾ穴５を設け、これら突子４とホゾ穴５との圧着嵌合により結合してある。【０００８】  このようなフロート１は、以下のように使うことができる。
すなわち、例えば濃度１５％食塩水（比重１．０８）を計りたい場合、図２に示す容器１０に食塩水１１を入れ、この食塩水内にフロート１を投下する。食塩の濃度が１５％に達していない場合は水溶液の比重は１．０８未満であるからフロート１は容器１０の底部に沈む。逆に、濃度が１５％を超えている場合は水溶液の比重が１．０８より大であるので、フロート１は水面に浮く。
そして、水溶液の比重が丁度１．０８の場合、フロート１は溶液の中間部に浮いて漂う。すなわち、フロート１は上昇移動も下降移動もせずに液中に留まる。このことから、水溶液の比重が１．０８であることが判り、よって食塩濃度は１５％であることを知ることができる。
また、上記のごときフロート１であれば、例えば容器１０に水とフロート１を入れておき、この水に食塩を入れて溶かし、食塩の量を徐々に増やしていって、底に沈んでいたフロート１が食塩水の中間部に浮いて上昇も下降もせずに液中に漂うようになったら食塩の供給を止めるようにすれば、濃度１５％の食塩水を容易に作ることができる。
逆に、１５％よりも濃度の高い食塩水を薄める場合は、水面に浮いているフロート１が水中に沈んでその中間部で上昇も下降もせずに液中に漂うようになるまで水を供給すれば、濃度１５％の食塩水を容易に作ることができる。【０００９】  良く知られているプラスチックの種類とその比重の関係は表１のようになっている。表１の比重は、プラスチック材料のメーカーによって若干のばらつきはあるが、一般に知られている平均的な値である。
この表１から、比重が丁度１．０８のプラスチック材料は見当たらない。しかし、上記実施例のように、比重０．９１のポリプロピレン樹脂と、比重１．２５のフェノール樹脂を選択し、これらの体積比Ｖ１：Ｖ２を１：１に設定して結合すれば、比重１．０８のフロート１を得ることができる。
0003100988.tif 000003
【００１０】  次に、第２の実施例を図３にもとづき説明する。
図３に示すフロート１は分割部材の体積を異ならせた場合である。例えば、プラスチック材料のコストなどの関係で、入手可能な又は使用可能な材料がポリプロピレンとアクリル樹脂に制約されているときこれら材料を用いて比重１．０８のフロート１を作りたい場合は、以下の構造にすればよい。
すなわち、フロート１は、一方の分割部材２がポリプロピレン（比重０．９１）からなり、他方の分割材料３ａがアクリル樹脂（比重１．１９）で構成されている。そして、部材２と３ａの体積比Ｖ１：Ｖ２を０．４：０．６に設定してある。このような体積比であれば、フロート１の比重は、０．９１×０．４＋１．１９×０．６＝１．０７８となり、１．０８に近似した比重になる。
よって、使用する材料に制約を受けたとしても、体積比を選択することによって所定の比重のフロートを得ることができる。【００１１】  また、分割部材２と３又は３ａを連結するにあたり、互いに向かい合う面に対称的に突子４とホゾ穴５を設けて、これら突子４とホゾ穴５との圧着嵌合により結合する構造にすれば、例えば図１と図３から判る通り、部材３と３ａを交換しても部材２は共通して使用可能であり、また、部材３と３ａとを組み合わせて使うこともでき、部材の互換性が生じる。このため、部材の選択性がよくなる。
また、各部材２，３，３ａは、それぞれ素材毎に色分けしておけば、組み合わせる場合に材料の判別が容易であるとともに、測定しようとする液体に色がついている場合、フロート１の視認が容易になる。
なお、分割する数は２つに限らず３分割以上であってもよい。
また、本考案は、フロート１の材料としてプラスチックに制約されるものではなく、金属、木材、その他の材料を選択することができる。
そしてまた、フロート１の形状も球形に限らず、任意形状が可能である。
さらに、測定対象となる液体も食塩水に限らず、各種液体や溶液に使用可能である。
【図面の簡単な説明】
【００１２】
【図１】本考案の第１の実施例を示し、フロートの側面図
【図２】上記フロートの使用例を示し、フロートを水溶液に投入した状態の図
【図３】本考案の第２の実施例を示し、フロートの側面図
【符号の説明】
【００１３】１…濃度表示用フロート
２、３、３ａ…分割部材
４…突子
５…ホゾ穴
【図１】
0003100988.tif 000004
【図２】
0003100988.tif 000005
【図３】
0003100988.tif 000006